(57)【要約】【課題】  音声信号の入力および出力機能を兼ねた音声入出力端子から、雑音信号の出力を防ぐことができる電子機器の制御装置および制御方法、電子機器、プロジェクタを提供すること。【解決手段】  外部ＡＣ電源から電力供給を受けると、ミュート回路部１７を構成するトランジスタＴＲ１のベース端子には、ハードウエア構成によりオンレベルのミュート信号Ｍuが印加され、ミュート回路部１７は動作状態となる。続いて、メイン電源部２５が起動すると、バイアス印加部１６に直流電圧Ｖccが供給され、バイアス電圧Ｖcc／２が生成される。バイアス電圧Ｖcc／２が生成されたタイミングで、バイアス電圧Ｖcc／２の立ち上がり波形は、カップリングコンデンサＣ５にて微分され雑音信号が発生する。雑音信号は、ミュート回路部１７のトランジスタＴＲ１のコレクタ端子との交点Ｍへ到達し、エミッタ端子にバイパスされアース電位に導かれる。【選択図】      図２
2006094096.tif 000002
【特許請求の範囲】
【請求項１】
電子機器の制御装置であって、
音声を表す音声信号を入力する機能および出力する機能を兼ねた音声入出力端子と、
前記音声入出力端子から入力される前記音声信号に所定のバイアス電圧を印加するバイ
アス印加部と、
前記音声入出力端子とバイアス印加部との間の所定の位置の電位をアース電位にバイパ
スするミュート回路部と、
前記バイアス印加部に前記バイアス電圧を印加させるための直流電圧を供給する電源部
を備え、
前記電源部による前記バイアス印加部への前記直流電圧の供給開始に先立ち、前記ミュ
ート回路部が作動することを特徴とする電子機器の制御装置。
【請求項２】
さらに前記音声入出力端子の入力機能と出力機能を切替える入出力切替え部と、
少なくとも入出力機能の切替え操作に応じて入出力機能の切替えのトリガとしての操作
信号を出力する操作受付け部と、
前記操作受付け部からの操作信号に基づき、前記ミュート回路部と前記入出力切替え部
を制御する制御部を備え、
前記制御部は、前記操作受付け部からの前記操作信号が入力されると、前記入出力切替
え部の前記入出力切替えに先立ち、前記ミュート回路部を作動させることを特徴とする請
求項１に記載の電子機器の制御装置。
【請求項３】
請求項１または２のいずれか一項に記載の電子機器の制御装置と、少なくとも前記音声
入出力端子から入力される前記音声信号を音声として出力する音声出力部を備えることを
特徴とする電子機器。
【請求項４】
請求項３に記載の電子機器は、光を供給する光源部からの光を映像信号により規定され
た映像を表す投写光に変調し、前記投写光により投写映像を映し出すプロジェクタである
ことを特徴とする電子機器。
【請求項５】
音声を表す音声信号の入力機能および出力機能を兼ねた音声入出力端子と、前記音声入
出力端子から入力される前記音声信号に所定のバイアス電圧を印加するバイアス印加部と
、前記音声入出力端子と前記バイアス印加部との間の所定の位置の電位をアース電位にバ
イパスするミュート回路部と、前記バイアス印加部に前記バイアス電圧を印加させるため
の直流電圧を供給する電源部を備えた電子機器の制御方法であって、
前記電源部に、外部電源より電力を印加する電力供給工程と、
前記電力供給工程にて前記電源部に電力が印加されると、ミュート回路部を作動させる
消音工程と、
前記電源部から前記バイアス印加部に電力が印加されるバイアス発生工程と、を含むこ
とを特徴とする電子機器の制御方法。
【発明の詳細な説明】
【技術分野】
【０００１】
本発明は、音声信号の入力および出力機能を兼ねた音声入出力端子を備える電子機器の
制御装置および制御方法、電子機器、プロジェクタに関する。
【背景技術】
【０００２】
外部の音声信号供給装置からの音声信号を、内蔵するスピーカで音声として出力したり
、外部のスピーカへ供給するための音声出力端子から出力することができる電子機器とし
てのプロジェクタが、特許文献１に開示されている。このプロジェクタは、外部の音声信
号供給装置からの音声信号を入力するための音声入力端子と、音声信号を外部のスピーカ
へ供給するための音声出力端子とを備えている。ここで、外部の音声信号供給装置からの
音声信号がステレオ対応であった場合、音声入力端子は右チャンネル用と左チャンネル用
の２端子必要となる。さらに、音声出力もステレオ対応とすると、同様に２端子必要とな
ってしまう。このように、独立した音声入力端子と音声出力端子を設けるためには多くの
端子が必要となるため部品費用が高くなり、また、複数の端子を設置する場所が必要とな
るため、電子機器の小型化の妨げとなっている。
【０００３】
また、無線ネットワークカードなどにより、構内ネットワークに接続することが可能で
、構内ネットワークに接続しているサーバやパーソナルコンピュータからＡＶ（Audio Vi
sual）データなどを取り込むことができるプロジェクタが、特許文献２に開示されている
。このようなプロジェクタは、入力端子からではなく、ネットワークを介して取り込んだ
音声を再生することができる。常にこの状態で使用する場合には、不要な入力端子が機器
に設置されていることになる。
【０００４】
このような課題に対応するために、公用の技術として音声信号入力および出力機能を１
つの音声入出力端子により兼用する電子機器が知られている。図５（ａ）は、前記電子機
器の音声入出力端子および音声入出力機能に関係する部位（「音声信号処理部」という。
）の概略構成図である。図５（ａ）において、音声入出力端子２０１は、音声信号入力機
能および出力機能を１つの端子により兼ねている。音声入力回路２０２は、音声入出力端
子２０１から入力した音声信号を内蔵するアンプＡmpなどで増幅して、内蔵するスピーカ
ＳＰ１へ供給する。音声入力回路２０２には、音声入出力端子２０１から入力する交流の
音声信号の中心電位を所定の直流電圧とするためにバイアス電圧を印加するバイアス印加
部２０３が設けられている。音声出力回路２０４は、例えば、電子機器内部の記憶部（図
示せず）に格納されている音声信号２０５を内蔵するアンプＡmpなどで増幅して、音声入
出力端子２０１から出力する。
【０００５】
ここで、音声入力回路２０２と音声出力回路２０４とは、入出力切替えスイッチ２０６
により切替え可能であるため、１つの音声入出力端子２０１により音声入力および出力機
能を兼用できるように構成されている。これにより、入出力の端子数を効率化している。
【０００６】
【特許文献１】特開２００２−２９０８７７号公報
【特許文献２】特開２０００−２２２１６３号公報
【発明の開示】
【発明が解決しようとする課題】
【０００７】
しかしながら、音声入力および出力機能を１つの音声入出力端子２０１により兼用にし
た場合、入出力切替えスイッチ２０６にて音声入力回路２０２が選択されていても、音声
入出力端子２０１に外部スピーカＳＰ２が接続されたままの状態になっていることが想定
される。この状態で、例えば、電子機器に電力が供給されると、前述のバイアス回路２０
３に起因する雑音信号が、外部スピーカＳＰ２に印加されてしまい、外部スピーカＳＰ２
から耳障りなポップ音が発生してしまうという問題がある。図５（ｂ）と図５（ａ）を用
いて説明する。図５（ｂ）は、雑音信号の発生の流れを示したタイミングチャートである
。タイミングＤにおいて、電子機器に家庭用交流電源などからＡＣ電力が供給されると、
電子機器内部の電源部２０７が立ち上がり、直流電圧Ｖccがバイアス印加部２０３に供給
される。直流電圧Ｖccが供給されると、バイアス印加部２０３の抵抗Ｒ１，Ｒ２は同一の
抵抗値に設定されているため、抵抗Ｒ１と抵抗Ｒ２の交点Ｑにバイアス電圧Ｖcc／２が発
生する。バイアス電圧Ｖcc／２が発生する時の立ち上がり波形は、カップリングコンデン
サＣ１，Ｃ２にて微分され、可聴交流成分の雑音信号Ｐopとなって、音声入出力端子２０
１から外部スピーカＳＰ２に伝わりポップ音が発生する。
【０００８】
上記課題を解決するために、本発明では、音声信号の入力および出力機能を兼ねた音声
入出力端子から、雑音信号の出力を防ぐことができる電子機器の制御装置および制御方法
、電子機器、プロジェクタを提供することを目的とする。
【課題を解決するための手段】
【０００９】
前記目的を達成するために、本発明の電子機器の制御装置は、電子機器の制御装置であ
って、音声を表す音声信号を入力する機能および出力する機能を兼ねた音声入出力端子と
、音声入出力端子から入力される音声信号に所定のバイアス電圧を印加するバイアス印加
部と、音声入出力端子とバイアス印加部との間の所定の位置の電位をアース電位にバイパ
スするミュート回路部と、バイアス印加部にバイアス電圧を印加させるための直流電圧を
供給する電源部を備え、電源部によるバイアス印加部への直流電圧の供給開始に先立ち、
ミュート回路部が作動することを特徴とする。
【００１０】
この構成によれば、電源部によるバイアス印加部への直流電圧の供給開始に先立ち、ミ
ュート回路部が作動することから、バイアス電圧の印加に伴う雑音信号が音声入出力端子
から出力されてしまう従来の電子機器と異なり、バイアス電圧が印可される時の立ち上が
り波形による雑音信号はミュート回路部によりアース電位にバイパスされる。これにより
、雑音信号が音声出力端子から出力されることはない。従って、音声入出力端子から、雑
音信号の出力を防ぐことができる電子機器の制御装置を提供することができる。
【００１１】
本発明に係る電子機器の制御装置によれば、さらに音声入出力端子の入力機能と出力機
能を切替える入出力切替え部と、少なくとも入出力機能の切替え操作に応じて入出力機能
の切替えのトリガとしての操作信号を出力する操作受付け部と、操作受付け部からの操作
信号に基づき、ミュート回路部と入出力切替え部を制御する制御部を備え、制御部は、操
作受付け部からの操作信号が入力されると、入出力切替え部の入出力切替えに先立ち、ミ
ュート回路部を作動させることが好ましい。
【００１２】
制御部は、操作受付け部からの操作信号が入力されると、入出力切替え部の入出力切替
えに先立ち、ミュート回路部を作動させることから、入出力切替え時の入出力バイアス電
圧の変化に伴い発生する雑音信号は、ミュート回路により雑音信号をアース電位にバイパ
スする。これにより、雑音信号が音声出力端子から出力されることはない。従って、音声
入出力端子から、雑音信号の出力を防ぐことができる電子機器の制御装置を提供すること
ができる。
【００１３】
本発明に係る電子機器は、前記電子機器の制御装置と、少なくとも音声入出力端子から
入力される音声信号を音声として出力する音声出力部を備えることが好ましい。
【００１４】
電子機器は、音声入出力端子から、雑音信号の出力を防ぐことができる電子機器の制御
装置を備えることから、音声入出力端子からの雑音信号の出力を防ぐことができる。また
、音声出力部から音声信号により表される音声を出力することができる。従って、音声出
力機能を備え、音声入出力端子から雑音信号の出力を防ぐことができる電子機器を提供す
ることができる。
【００１５】
本発明に係るプロジェクタは、光を供給する光源部からの光を映像信号により規定され
た映像を表す投写光に変調し、投写光により投写映像を映し出す電子機器としてのプロジ
ェクタであることが好ましい。
【００１６】
プロジェクタは、音声入出力端子から、雑音信号の出力を防ぐことができる電子機器で
あることから、音声入出力端子から、雑音信号の出力を防ぐことができるプロジェクタを
提供することができる。
【００１７】
本発明に係る電子機器の制御方法は、音声を表す音声信号の入力機能および出力機能を
兼ねた音声入出力端子と、音声入出力端子から入力される音声信号に所定のバイアス電圧
を印加するバイアス印加部と、前記音声入出力端子とバイアス印加部との間の所定の位置
の電位をアース電位にバイパスするミュート回路部と、バイアス印加部に前記バイアス電
圧を印加させるための直流電圧を供給する電源部を備えた電子機器の制御方法であって、
電源部に、外部電源より電力を印加する電力供給工程と、電力供給工程にて電源部に電力
が印加されると、ミュート回路部を作動させる消音工程と、電源部から前記バイアス印加
部に電力が印加されるバイアス発生工程と、を含む。
【００１８】
消音工程では、電力投入工程により電源部に電力が印加されると、バイアス印加工程に
先行してミュート回路部を作動させることから、バイアス印加工程において、バイアス電
圧が印加される時の立ち上がり波形により発生する雑音信号は、ミュート回路部によりア
ース電位にバイパスされる。これにより、雑音信号が音声出力端子から出力されることは
ない。従って、音声入出力端子から、雑音信号の出力を防ぐことができる電子機器の制御
装置の制御方法を提供することができる。
【発明を実施するための最良の形態】
【００１９】
以下、本発明に係る電子機器としてのプロジェクタの実施形態について図面を参照して
説明する。
【００２０】
（実施形態１）
図１は、一実施形態のプロジェクタの概略構成図である。プロジェクタ１００は、例え
ばＤＶＤ（Digital Versatile Disk）プレーヤや、ＴＶ（Television）チューナである映
像音声供給装置１４から映像信号および音声信号の供給を受け、投写映像および音声を生
成する。プロジェクタ１００は、光源としてのランプ１が放射した光を、赤色光、青色光
、緑色光の光の３原色成分に分離し、各色光毎に光変調素子としての各色光用の液晶ライ
トバルブ２にて映像信号に応じて変調し、再度合成してスクリーンＳＣに投写するいわゆ
る液晶３板式のプロジェクタである。プロジェクタ１００は、ランプ１、液晶ライトバル
ブ２、映像信号処理部３、液晶パネル駆動部４、制御装置３０、ランプ駆動部８、Ｉ／Ｏ
ブリッジ部１０と、Ｉ／Ｏブリッジ部１０に接続するＵＳＢ（Universal Serial Bus）部
１１、メモリカード部１２、ネットワークカード部１３などを備えている。制御装置３０
は、音声信号処理部５、操作受付け部６、電源部７、制御部９などから構成されている。
【００２１】
以下、映像音声供給装置１４として、ＤＶＤプレーヤが接続されていることとして説明
する。映像信号処理部３は、映像音声供給装置１４としてのＤＶＤプレーヤからのアナロ
グ映像信号Ｖinであるコンポーネント信号をＡ／Ｄ変換し、さらに、液晶ライトバルブ２
にて表示するのに適した信号とするためにスケーリングやγ補正などの処理を施し、映像
信号Ｄoutとして液晶パネル駆動部４へ供給する。液晶パネル駆動部４は、液晶ライトバ
ルブ２に映像信号Ｄoutと駆動電圧などを供給し、液晶ライトバルブ２に映像を映し出す
。ランプ１は、例えば、高圧水銀ランプや、メタルハライドランプ及びハロゲンランプの
ような高輝度が得られる放電式ランプである。
【００２２】
音声信号処理部５は、音声入出力端子１５、バイアス印加部１６、ミュート回路部１７
、入出力切替え部１８、アンプ部１９、音声出力部としての内蔵スピーカ２０などから構
成されている。音声入出力端子１５は、ステレオミニジャックなどから構成されており、
映像音声供給装置１４としてのＤＶＤプレーヤからの音声信号を入力する機能を持つ。ま
た、後述するプロジェクタ１００の内部からの音声信号を出力する出力端子としての機能
も兼ね備えている。バイアス印加部１６は、交流の音声信号の中心電位を所定の直流電圧
とするためのバイアス電圧を発生する。ミュート回路部１７は、音声入出力端子１５から
ポップ音の原因となる雑音信号が出力されないように雑音信号をバイパスしてアース電位
に導く。入出力切替え部１８は、アナログスイッチなどから構成されており、音声入出力
端子１５を、入力または出力機能とする切替えを行う。アンプ部１９は、オペアンプなど
から構成されており、入力用、出力用それぞれが設けられ、入力音声信号または出力音声
信号を増幅する。
【００２３】
内蔵スピーカ２０は、プロジェクタ１００に内蔵されており、音声信号によって発音す
る。内蔵スピーカ２０は、小型のスピーカであるため、大きな音声は出力できないので、
小人数での鑑賞や音声内容を確認するために用いられる。外部スピーカ２１は、プロジェ
クタ１００の外部に設置された大音量のスピーカであり、音声入出力端子１５が出力端子
として機能しているときに出力される音声信号により発音する。例えば、プロジェクタ１
００を会議室の天井に設置し、ミニシアタとして利用する場合、内蔵スピーカ２０では音
量不足なので、大音量の外部スピーカ２１を用いて必要な音量を確保する。
【００２４】
プロジェクタ１００は、プロジェクタ１００の外装面に設けられた複数のスイッチから
なる操作部（図示せず）や、リモコン２２により操作することができる。リモコン２２に
は、起動／終動スイッチや、音声入出力端子１５の入出力機能切替えスイッチ、十字型ス
イッチなどの複数のスイッチ（いずれも図示せず）が設けられている。また、プロジェク
タの動作時に、投写される映像を機能選択映像に設定すると、機能選択映像に表示されて
いる動作項目を前記十字型スイッチにより選択することによってもプロジェクタ１００の
操作が可能である。操作受付け部６は、リモコン２２が発する赤外線の受光部などを含ん
で構成され、前記操作部やリモコン２２への操作内容に応じて、後述する制御部９へ各種
動作のトリガとしての操作信号を出力する。
【００２５】
電源部７は、外部ＡＣ電源２３からの電力をプラグから導き、内蔵するＡＣ／ＤＣ変換
部（いずれも図示せず）にて変圧、整流および平滑するなどの処理を施すことにより安定
化させた直流電圧をプロジェクタ１００の各部に供給している。電源部７は、サブ電源部
２４と、メイン電源部２５とから構成されている。サブ電源部２４は、主にプロジェクタ
１００が待機時であるときの電力を供給する。待機時とは、プロジェクタ１００に外部Ａ
Ｃ電源２３からの電力が印加されているが、プロジェクタ１００は動作していない、起動
操作待ちの状態のことである。待機時には、後述する制御部９や、操作受付け部６などの
プロジェクタ１００が起動するために必要な最低限の部位のみが低速で動作するため、サ
ブ電源部２４に要求される電力容量は僅かなものである。よって、サブ電源部２４は、外
部ＡＣ電源２３からの電力が印加されると直に立ち上がり関係各部に電力を供給する。
【００２６】
メイン電源部２５は、ランプ１などの消費電力の大きい部位に電力を供給するため、大
きな電力容量を確保している。メイン電源部２５は、大きな電力容量を確保するために、
大容量のコンデンサ（図示せず）などを含んだ構成となっており、起動操作が成されてか
ら電力を供給するまでに大容量のコンデンサに充電するなどの工程が必要となるので、起
動するのに所定の時間が必要である。音声信号処理部５、操作受付け部６、電源部７など
から構成される制御装置３０は、雑音信号が音声入出力端子１５から出力されないように
操作受付け部６からの操作信号などに基づき各部を制御する。
【００２７】
ランプ駆動部８は、ランプ１の点灯および消灯などランプ１を駆動する。制御部９は、
ＭＣＵ（Microcontoller Unit）であり、内部に記憶部（図示せず）を含んでいる。制御
部９は、図１において白抜きの双方向矢印で示されたバスラインを介して、各部との信号
のやり取りを行い、また、操作受付け部６からの操作信号などに沿って各部の動作を制御
する。記憶部には、例えば、ウェブページ閲覧用のブラウザと、ブラウザに映像および音
声信号を含むＡＶデータ再生機能を追加する複数のプラグインが格納されており、プロジ
ェクタ１００単体でＡＶデータを再生および投写することができる。制御部９は、ＭＣＵ
に限定するものではなく、例えば、ＣＰＵであっても良い。この場合、記憶部は、バスラ
インを介して独立して設けられる。また、大容量のアプリケーションソフトウエアや、Ａ
Ｖデータを格納する必要があるときには、バスラインを介してハードディスク装置を設置
し、これに記憶させる構成としても良い。
【００２８】
Ｉ／Ｏブリッジ部１０は、サウスブリッジであり、ＵＳＢコントローラ、およびＰＣＩ
（Peripheral Component Interconnect）コントローラなどの各種デバイスコントローラ
を搭載している。ＵＳＢ部１１は、Ｉ／Ｏブリッジ部１０とバスラインを介して接続して
おり、例えば、外部のパーソナルコンピュータからＵＳＢを経由して、映像および音声信
号を含むＡＶデータを取り込むことができる。メモリカード部１２およびネットワークカ
ード部１３は、ＰＣＩ対応の拡張カードスロットを備えており、それぞれメモリカードお
よびネットワークカード（いずれも図示せず）を搭載している。フラッシュメモリを記憶
媒体とするメモリカードには、デジタルカメラで撮影した画像データや音声データを含ん
だ動画データなどが格納可能なので、これらのＡＶデータもプロジェクタ１００に取り込
むことが可能である。
【００２９】
また、無線ネットワークカードなどにより、構内ネットワークに接続することが可能な
ので、構内ネットワークに接続しているサーバやパーソナルコンピュータからＡＶデータ
などを取り込むことができる。また、構内ネットワークがインターネットに接続している
場合には、インターネット網に接続しているサーバーなどからもＡＶデータを取り込める
。このようにして、プロジェクタ１００は、外部からＡＶデータを取り込むことが可能で
あり、取り込んだＡＶデータを投写および音声再生することができる。また、音声データ
については、音声入出力端子１５から出力することも可能である。
【００３０】
続いて、図２を用いて、音声信号処理部５について詳しく説明する。図２は、プロジェ
クタ１００の音声信号処理部５についての詳細図である。音声入出力端子１５は、ステレ
オ入力が可能であるが、図２においては説明を簡単にするためモノラル入力として説明す
る。バイアス印加部１６は、抵抗Ｒ５と抵抗Ｒ６とから構成されている。抵抗Ｒ５の一端
には、メイン電源部２５から直流電圧Ｖccとして例えば５Ｖが供給される。抵抗Ｒ５，Ｒ
６は、同一の抵抗値に設定されており、例えばそれぞれが１００ｋΩの抵抗値となってい
る。これにより、バイアス印加部１６に流れる電流は２．５μＡと低消費電流に抑えられ
ている。また、抵抗Ｒ６の一端はアース電位に接続されている。ここで、直流電圧Ｖccの
５Ｖが、抵抗Ｒ５に印加されると、直流電圧Ｖccが抵抗Ｒ５，Ｒ６により分圧され、抵抗
Ｒ５と抵抗Ｒ６の交点ＰにはＶcc／２の２．５Ｖが発生する。交点Ｐは、音声入出力端子
１５から入力した音声信号がカップリングコンデンサＣ６，Ｃ５を介して供給されるライ
ン上にあるため、交点Ｐにおける音声信号の中心電位は２．５Ｖのバイアス電圧が掛かっ
た状態となる。これにより、音声信号を含む信号電位を後述する入力用アンプ１９inなど
の動作点に適合させることができる。
【００３１】
ミュート回路部１７は、汎用のＮＰＮ型のトランジスタＴＲ１から構成されている。ミ
ュート回路部１７は、音声入出力端子１５とバイアス印加部１６との間の、所定の位置と
しての交点Ｍの電位をアース電位に導くように配置されている。トランジスタＴＲ１のベ
ース端子には、制御部９からミュート信号Ｍｕが入力される。ミュート信号Ｍｕがオン信
号としてのハイレベルとなっているときには、トランジスタＴＲ１はオンし、所定の位置
としての交点Ｍのコレクタ端子の電位がエミッタ端子のアース電位に短絡される。また、
ミュート信号Ｍｕは、制御部９からのソフトウエアによるオンオフ切替えに加えて、サブ
電源２４が立ち上がり時においてはハードウエア構成により、オンとなるように設定され
ている。入出力切替え部１８は、アナログスイッチにより構成されている。入出力切替え
部１８としてのアナログスイッチは、制御部９からの入出力切替え信号I/Oによりオンオ
フし、入力端子機能を選択したときにオンとなる。
【００３２】
アンプ部１９は、入力用アンプ１９inと、出力用アンプ１９outとから構成されている
。入力用アンプ１９in、出力用アンプ１９outともにオペアンプなどにより構成されてい
る。入力用アンプ１９inには、内蔵スピーカ２０が接続されている。出力用アンプ１９ou
tには、メモリカード部１２などからのＡＶデータの音声信号Ａinが入力される。出力用
アンプ１９outは、制御部９からのイネーブル信号Ｅnaにより作動する。イネーブル信号
Ｅnaは、出力端子機能を選択したときに出力される。出力端子機能選択時に、出力用アン
プ１９outは、音声信号Ａinを増幅し、カップリングコンデンサＣ７，Ｃ６を介して音声
入出力端子１５に出力する。イネーブル信号Ｅnaと、入出力切替え信号I/Oとは同期して
おり、この二つの信号により音声入出力端子１５の入出力端子機能が切り替わる。
【００３３】
アナログスイッチ２６は、内部スピーカ２０にて音声信号Ａinを発音させたいときに用
いられる。アナログスイッチ２６は、制御部９からの切替え信号SPonによりオンオフし、
オンのときには、音声信号Ａinが入力アンプ１９inに供給されるので、内部スピーカ２０
により音声信号Ａinにより規定された音声などを発音することができる。なお、切替え信
号SPonにより、アナログスイッチ２６がオンとなるときには、入出力切替え部１８のアナ
ログスイッチはオフとなるように制御部９により制御されている。
【００３４】
図３は、プロジェクタ１００の起動時におけるミュート回路部１７の動作タイミングチ
ャートである。続いて、ミュート回路部１７の動作タイミングなどについて図３を参照し
、また、図１と図２を適宜参照して説明する。まず、タイミングＦにて、外部ＡＣ電源２
３のコンセントにプロジェクタ１００のプラグ（いずれも図示せず）が差し込まれ、電源
部７に電力が供給される。電源部７に電力が供給されると、サブ電源部２４は、タイミン
グＦから僅かなタイムラグをもって起動し、制御部９および操作受付け部６などに電力を
供給する。なお、前記タイムラグは極僅かな時間であるので、図３ではタイムラグはない
ものとみなして作図してある。サブ電源部２４が立ち上がると、ミュート回路部１７を構
成するトランジスタＴＲ１のミュート信号部Ｍuには、ハードウエア構成によりオン信号
が印加され、ミュート回路部１７は作動する。
【００３５】
プロジェクタ１００は、電源部７に電力が供給されたタイミングＦを起点として、メイ
ン電源部２５を含む各部の初期化動作を行うように設定されている。メイン電源部２５は
、タイミングＦを起点として一定時間ｔ１（約４００ms）後に立ち上り、映像信号処理部
３、液晶パネル駆動部４、ランプ駆動部８などに電力を供給する。メイン電源部２５から
電力供給を受けた各部は、各部の初期化処理を始める。各部の初期化処理に必要な時間ｔ
２は、約１２０ms程度である。プロジェクタ１００は、初期化処理中にリモコン２２など
によるプロジェクタを起動するための起動操作がない場合、初期化処理が終了すると省エ
ネルギーのためにメイン電源２５を落して待機状態となる。
【００３６】
メイン電源部２５は、立ちあがると共に音声信号処理部５のバイアス印加部１６にも直
流電圧Ｖcc（５Ｖ）を供給する。直流電圧Ｖcc（５Ｖ）が供給されると、バイアス印加部
１６は、抵抗Ｒ５と抵抗Ｒ６の交点Ｐにバイアス電圧Ｖcc／２（２．５Ｖ）を生成する。
バイアス電圧Ｖcc／２が生成されたタイミングで、バイアス電圧Ｖcc／２の立ち上がり波
形は、カップリングコンデンサＣ５にて微分され雑音信号Ｐopが発生する。バイアス電圧
Ｖcc／２の生成に伴って発生した雑音信号Ｐopは、ミュート回路部１７のトランジスタＴ
Ｒ１のコレクタ端子との交点Ｍへ到達する。ここで、ミュート回路部１７のトランジスタ
ＴＲ１は既にオンとなっているため、雑音信号Ｐopは、トランジスタＴＲ１のエミッタ端
子にバイパスされアース電位に導かれる。
【００３７】
初期化処理中にプロジェクタ１００を起動するための起動操作がない場合には、メイン
電源部２５は、所定の時間ｔ２の初期化動作が終了すると動作を停止する。メイン電源部
２５の動作停止に伴い、バイアス印加部１６への電力供給も停止するため、バイアス電圧
Ｖcc／２の供給も同期して停止する。バイアス電圧Ｖcc／２の供給停止時の立下り波形は
、カップリングコンデンサＣ５にて微分され雑音信号Ｐopが発生する。バイアス電圧Ｖcc
／２の供給停止に伴って発生した雑音信号Ｐopは、ミュート回路部１７のトランジスタＴ
Ｒ１のコレクタ端子との交点Ｍへ到達する。ここで、ミュート回路部１７のトランジスタ
ＴＲ１はオンとなっているため、雑音信号Ｐopは、トランジスタＴＲ１のエミッタ端子に
バイパスされアース電位に導かれる。また、初期化処理中にプロジェクタ１００を起動す
るための起動操作があると、メイン電源２５を落すことなく、そのまま起動する。
【００３８】
メイン電源部２５がオフしている待機状態において、リモコン２２などの操作部への起
動操作により操作受付け部６から起動操作信号Ｓｔが出力されると、起動操作信号Ｓｔに
より、メイン電源部２５は一定時間ｔ１（約４００ms）後に立ち上る。メイン電源部２５
の立ち上がりに伴い、バイアス印加部１６には直流電圧Ｖcc（５Ｖ）が供給され、抵抗Ｒ
５と抵抗Ｒ６の交点Ｐにバイアス電圧Ｖcc／２（２．５Ｖ）が生成される。バイアス電圧
Ｖcc／２が生成されたタイミングで、バイアス電圧Ｖcc／２の立ち上がり波形は、カップ
リングコンデンサＣ５にて微分され雑音信号Ｐopが発生する。バイアス電圧Ｖcc／２の生
成に伴って発生した雑音信号Ｐopは、ミュート回路部１７のトランジスタＴＲ１のコレク
タ端子との交点Ｍへ到達する。ここで、ミュート回路部１７のトランジスタＴＲ１はオン
となっているため、雑音信号Ｐopは、トランジスタＴＲ１のエミッタ端子にバイパスされ
アース電位に導かれる。
【００３９】
メイン電源部２５が立ち上がりに伴い、メイン電源部２５から電力供給を受けた各部は
、各部の起動処理、例えば、ランプの点灯や映像信号の処理などを始める。各部の起動処
理のなかでも時間を要するランプの点灯（ランプを点灯させて十分な明るさになるまでを
含む）に必要な時間ｔ３は、３０秒程度である。制御部９は、ランプの点灯処理が終了す
ると、所定の時間ｔ４後にミュート回路部１７にミュート信号Ｍｕを送りミュート回路を
オフする。所定の時間ｔ４は、約５０msに設定されている。
【００４０】
上述した通り、本実施形態によれば以下の効果が得られる。
【００４１】
（１）電源部７に外部電源２３からの電力が印加されると、電源部７のメイン電源部２
５によるバイアス印加部１６への直流電圧Ｖccの供給開始に先立ち、ミュート回路部１７
を作動することから、外部電源の供給によるバイアス電圧Ｖcc／２の変化に伴う雑音信号
Ｐopが音声入出力端子２０１から出力されてしまう従来の電子機器とは異なり、バイアス
電圧Ｖcc／２が発生する時の立ち上がり波形による雑音信号Ｐopは、ミュート回路部１７
のトランジスタＴＲ１がオンとなっているため、トランジスタＴＲ１のエミッタ端子にバ
イパスされアース電位に導かれる。これにより、雑音信号Ｐopが音声出力端子１５から出
力されることはない。従って、音声入出力端子１５から、雑音信号Ｐopの出力を防ぐこと
ができる電子機器としてのプロジェクタ１００の制御装置３０を提供することができる。
【００４２】
（２）メイン電源部２５が起動し各部の初期化処理が終了した後、省エネルギーのため
にメイン電源部２５は動作停止し、プロジェクタ１００は待機状態（時）となる。ここで
、バイアス印加部１６への電力供給も停止するため、バイアス電圧Ｖcc／２の供給も同期
して停止する。バイアス電圧Ｖcc／２の供給停止に伴って発生した雑音信号Ｐopは、ミュ
ート回路部１７のトランジスタＴＲ１がオンとなっているため、トランジスタＴＲ１のエ
ミッタ端子にバイパスされアース電位に導かれることから、雑音信号Ｐopが音声入出力端
子１５から出力されるのを防ぐことができる。従って、例えば音声入出力端子１５に外部
スピーカ２１が接続された状態となっていたとしても、雑音信号Ｐopが入出力端子から出
力されないので、耳障りな雑音の発生を防ぐことができる。
【００４３】
（３）待機時において、リモコン２２などの操作部へのプロジェクタ１００を起動させ
るための起動操作により、メイン電源部２５が起動し、バイアス印加部１６に直流電圧Ｖ
ccが供給され、バイアス電圧Ｖcc／２が発生する。バイアス電圧Ｖcc／２の生成に伴って
発生した雑音信号Ｐopは、ミュート回路部１７のトランジスタＴＲ１がオンとなっている
ため、トランジスタＴＲ１のエミッタ端子にバイパスされアース電位に導かれることから
、雑音信号Ｐopが音声入出力端子１５から出力されるのを防ぐことができる。従って、例
えば音声入出力端子１５に外部スピーカ２１が接続された状態となっていたとしても、雑
音信号Ｐopが入出力端子から出力されないので、耳障りな雑音の発生を防ぐことができる
。
【００４４】
（４）プロジェクタ１００は、音声入出力端子１５から、雑音信号Ｐopの出力を防ぐこ
とができる制御装置３０を備えていることから、音声入出力端子１５から、雑音信号Ｐop
の出力を防ぐことができるプロジェクタ１００を提供することができる。
【００４５】
（実施形態２）
続いて、本発明に係る第２の実施形態について図面を参照して説明する。第２の実施形
態は、第１の実施形態のプロジェクタ１００の動作時における制御装置３０の働きに関す
る。図４は、プロジェクタ１００の動作時におけるミュート回路部１７の動作タイミング
チャートである。ここでは、ミュート回路部１７の動作タイミングについて図４を参照し
、また、図１と図２を適宜参照して説明する。
【００４６】
前述した通り、プロジェクタ１００は、リモコン２２に設けられた音声入出力端子１５
の入出力切替えスイッチ操作や、投写画面に映し出される機能選択映像（いずれも図示せ
ず）に表示される動作項目の選択により、音声入出力端子１５の入出力端子機能などを切
替えることができる。ここでは、当初プロジェクタ１００が、音声入出力端子１５を入力
端子機能として動作していた後、リモコン２２操作により、出力端子機能に切替えられ、
再度、リモコン２２操作により、入力端子機能に戻る場合について説明する。
【００４７】
初期状態として、プロジェクタ１００の音声入出力端子１５は、入力端子機能が選択さ
れており、例えば、ＤＶＤプレーヤからの音声データを内蔵スピーカ２０で出力している
。ここで、音声入出力端子１５からＤＶＤプレーヤの接続プラグを外し、替わりに外部ス
ピーカ２１へ接続するプラグを差し込む。音声入出力端子１５の機能を、ＤＶＤプレーヤ
の音声データ入力端子機能から、ネットワークカード部１３に挿入された無線ネットワー
クカードを介して、構内ネットワークに接続しているサーバからのＡＶデータの音声信号
Ａinを出力する出力端子機能に切替える。まず、リモコン２２の操作により、投写映像を
機能選択映像とし、機能選択映像の機能項目から「入出力切替え」を選択して実行する。
操作受付け部６は、リモコン２２の操作に従い切替え操作信号Chagを制御部９に送る。制
御部９は、操作信号Chagの立ち上がりをトリガとしてミュート回路部１７にミュート信号
Ｍｕを送り、ミュート回路部１７を作動させる。また、制御部９は、操作信号Chagの立ち
上がりをトリガとして所定の時間ｔ５の後に、入出力切替え部１８にはオフレベルの入出
力切替え信号I/Oを、出力用アンプ１９outにはイネーブル信号Ｅnaを同期して送る。所定
の時間ｔ５は、約１００msである。
【００４８】
これにより、入出力切替え部１８がオフし、出力用アンプ１９outが動作するので、音
声入出力端子１５は、入力端子機能から出力端子機能に切り替わる。音声入出力端子１５
が、入力端子機能から出力端子機能に切り替わるタイミングで、出力用アンプ１９outに
て音声信号Ａinに印加されているバイアス電圧（図示せず）がカップリングコンデンサＣ
７により微分され、雑音信号が発生する。発生した雑音信号は、ミュート回路部１７が作
動しているため、ミュート回路部１７のトランジスタＴＲ１のコレクタ端子との交点Ｍか
ら、トランジスタＴＲ１のエミッタ端子にバイパスされアース電位に導かれる。また、ミ
ュート回路部１７は、音声入出力端子１５が、入力端子機能から出力端子機能に切り替わ
った後、一定の時間ｔ６が経過してからオフとなるように、制御部９により制御されてい
る。一定の時間ｔ６は、約５０msである。この一定の時間ｔ５の間に、雑音信号の発生タ
イミングや波形の乱れによる雑音信号波形の遅延分があっても、ミュート回路部１７によ
りアース電位にバイパスされる。
【００４９】
また、音声入出力端子１５へ外部スピーカ２１を接続せずに、アナログスイッチ２６を
オンすることにより、音声信号Ａinに規定された音声などを内部スピーカ２０から発音さ
せることもできる。この場合、例えば、リモコン２２操作により機能選択映像の機能項目
から「入出力切替え」に続いて、「内部スピーカ出力」を選択して実行する。操作受付け
部６は、リモコン２２の操作に従い内部スピーカ出力信号SPonを制御部９に送る。制御部
９は、内部スピーカ出力信号SPonによりアナログスイッチ２６をオンする。これにより、
音声信号Ａinが出力用アンプ１９inに供給されることにより、内部スピーカ２０が発音す
る。
【００５０】
続いて、音声入出力端子１５の機能を、構内ネットワークに接続しているサーバからの
ＡＶデータの音声信号Ａinの出力機能から、再度ＤＶＤプレーヤからの音声データ入力機
能とし、内蔵スピーカ２０で発音するように切替えを行う。音声入出力端子１５から外部
スピーカ２１への接続プラグを外し、替わりにＤＶＤプレーヤに接続するプラグを差し込
む。リモコン２２の操作により機能選択映像の機能項目から「入出力切替え」を選択して
実行する。操作受付け部６は、リモコン２２の操作に従い切替え操作信号Chagを制御部９
に送る。制御部９は、操作信号Chagの立ち上がりをトリガとしてミュート回路部１７にミ
ュート信号Ｍｕを送り、ミュート回路部１７を作動させる。また、制御部９は、操作信号
Chagの立ち上がりをトリガとして所定の時間ｔ５の後に、入出力切替え部１８にはオンレ
ベルの入出力切替え信号I/Oを送り、同期して出力用アンプ１９outへのイネーブル信号Ｅ
naを停止する。
【００５１】
これにより、入出力切替え部１８がオンし、出力用アンプ１９outは停止するので、音
声入出力端子１５は、出力端子機能から入力端子機能に切り替わる。音声入出力端子１５
が、出力端子機能から入力端子機能に切り替わるタイミングで、バイアス発生回路１６で
発生したバイアス電圧Ｖcc／２が、カップリングコンデンサＣ５により微分され、雑音信
号が発生する。発生した雑音信号は、ミュート回路部１７が作動しているため、ミュート
回路部１７のトランジスタＴＲ１のコレクタ端子との交点Ｍから、トランジスタＴＲ１の
エミッタ端子にバイパスされアース電位に導かれる。また、ミュート回路部１７は、音声
入出力端子１５が、出力端子機能から入力端子機能に切り替わった後、一定の時間ｔ６が
経過してからオフとなるように、制御部９により制御されている。この一定の時間ｔ６の
間に、雑音信号の発生タイミングや波形の乱れによる雑音信号波形の遅延分があっても、
ミュート回路部１７によりアース電位にバイパスされる。
【００５２】
上述した通り、本実施形態によれば以下の効果が得られる。
【００５３】
（１）制御部９は、操作受付け部６からの操作信号Chagが入力されると、入出力切替え
部１８および出力用アンプ１９outによる入出力切替えに先立ち、ミュート回路部１７を
作動させることから、入出力切替え時の入出力バイアス電圧の変化に伴い発生する雑音信
号は、ミュート回路部１７のトランジスタＴＲ１がオンとなっているため、トランジスタ
ＴＲ１のエミッタ端子にバイパスされアース電位に導かれる。これにより、雑音信号が音
声出力端子１５から出力されることはない。従って、音声入出力端子１５から、雑音信号
の出力を防ぐことができる電子機器としてのプロジェクタ１００の制御装置３０を提供す
ることができる。
【００５４】
（２）ミュート回路部１７は、音声入出力端子１５が、入力端子機能から出力端子機能
に切り替わった後、一定の時間ｔ６が経過してからオフとなるように、制御部９により制
御されていることから、雑音信号の発生タイミングや波形の乱れによる雑音信号波形の遅
延分は、ミュート回路部１７によりアース電位にバイパスされる。これにより、雑音信号
が音声出力端子１５から出力されることはない。従って、音声入出力端子１５から、より
確実に雑音信号の出力を防ぐことができる電子機器としてのプロジェクタ１００の制御装
置３０を提供することができる。
【００５５】
（３）音声入出力端子１５が出力端子機能となっているときに、アナログスイッチ２６
をオンすることにより、音声信号Ａinに規定された音声などを内部スピーカ２０にて発音
できることから、内部からの音声信号２０５を音声入出力端子１５に出力することしかで
きなかった従来の構成とは異なり、機能の選択肢が広がり、使い勝手の良いプロジェクタ
１００を提供することができる。
【００５６】
なお、本発明は上述した実施形態に限定されず、上述した実施形態に種々の変更や改良
などを加えることが可能である。変形例を以下に述べる。
【００５７】
（変形例１）
図２と図５（ａ）を用いて説明する。ミュート回路１７は、図５（ａ）のような入出力
切替えを持つ従来の構成の回路にも適用可能である。例えば、図５（ａ）の回路構成にお
いて、ミュート回路１７を所定の位置として、カップリングコンデンサＣ２とアナログス
イッチ２０６との間に設ける構成としても良い。また、このときのミュート回路１７の動
作制御は、図１の制御部９により前記各実施形態と同様に行うものとする。この構成によ
り、図５（ａ）の回路構成であっても、雑音信号Ｐopをミュート回路１７によりアース電
位にバイパスすることができる。
【００５８】
（変形例２）
前記各実施形態において、電子機器の光変調素子は、液晶ライトバルブに代えて、例え
ば、反射型液晶表示装置や、ティルトミラーデバイスを用いる構成としても良い。また、
電子機器はプロジェクタに限定するものではなく、音声の入力端子と出力端子を備えた電
子機器であれば良い。例えば、ビデオレコーダ、ＤＶＤレコーダ、ＣＤ（Compact Disc）
レコーダ、ＭＤ（Mini Disc）レコーダ、テープレコーダ、ＩＣ（Integrated Circuit）
レコーダ、パーソナルコンピュータなどにも適用することができる。なお、ＣＤ（Compac
t Disc）はフィリップス社（オランダ）およびソニー社（日本）の商標である。また、Ｍ
Ｄ（Mini Disc）は、ソニー社の商標である。
【００５９】
前記実施形態および各変形例から把握できる請求項に記載されている内容以外の技術的
思想について、以下にその効果とともに記載する。
【００６０】
音声を表す音声信号を入力する機能および出力する機能を兼ねた音声入出力端子を備え
る電子機器の制御装置であって、前記音声信号が入力されると交流の前記音声信号の中心
電位を所定の直流電圧とするためにバイアス電圧を印加するバイアス印加部と、少なくと
も前記バイアス電圧が発生する時の立ち上がり波形による雑音信号が前記音声入出力端子
から出力されないように前記雑音信号をアース電位にバイパスするミュート回路部と、少
なくとも前記電子機器の起動操作に応じて起動動作のトリガとしての起動信号を出力する
操作受付け部と、少なくとも前記バイアス印加部に前記バイアス電圧を発生させるための
直流電圧を供給する電源部と、前記操作受付け部からの起動信号に基づき、前記ミュート
回路部と前記電源部を制御する制御部と、を備え、前記制御部は、前記操作受付け部から
の起動信号が入力されると、前記ミュート回路部を作動させてから前記電源部を起動する
ことを特徴とする電子機器の制御装置。
【００６１】
この構成によれば、制御部は、操作受付け部からの起動信号が入力されると、ミュート
回路部を作動させてから電源部を起動することから、起動時の外部電源の供給によるバイ
アス電圧の変化に伴う雑音信号が音声入出力端子から出力されてしまう従来の電子機器と
異なり、電源部の起動によるバイアス電圧の立ち上がり波形による雑音信号はミュート回
路部によりバイパスされる。これにより、雑音信号が音声入出力端子から出力されること
はない。従って、音声入出力端子から、雑音信号の出力を防ぐことができる電子機器の制
御装置を提供することができる。
【図面の簡単な説明】
【００６２】
【図１】実施形態１のプロジェクタの概略構成図。
【図２】音声信号処理部の詳細図。
【図３】ミュート回路部の起動時のタイミングチャート。
【図４】実施形態２の動作時におけるミュート回路部のタイミングチャート。
【図５】（ａ）従来の電子機器の音声信号処理部の概略構成図。（ｂ）従来の電子機器の雑音信号発生についてのタイミングチャート。
【符号の説明】
【００６３】
５…音声信号処理部、１５…音声入出力端子、１６…バイアス印加部、１７…ミュート
回路部、１８…入出力切替え部としてのアナログスイッチ、１９…アンプ部、１９in…入
力用アンプ、１９out…出力用アンプ、２０…音声出力部としての内蔵スピーカ、Ｃ５，
Ｃ６，Ｃ７…カップリングコンデンサ、Ｒ５，Ｒ６…抵抗、ＴＲ１…トランジスタ、Ｐ…
交点、Ｍ…所定の位置としての交点、Ｍｕ…ミュート信号、I/O…入出力切替え信号、SPo
n…内部スピーカ出力信号、Ａin…音声信号、Ｅna…イネーブル信号、Ｖcc…直流電圧。
【図１】
2006094096.tif 000003
【図２】
2006094096.tif 000004
【図３】
2006094096.tif 000005
【図４】
2006094096.tif 000006
【図５】
2006094096.tif 000007